(57)【要約】【課題】  時計外装組立の周部のデザインの自由度を得るとともに、文字板の大きさの自由度が高い携帯時計を提供することにある。【解決手段】  ケース底壁２１bと竜頭２９が設けられるケース胴部２１ａとが一体成形されたワンピース構造の外装ケース２１と、透明部材２６及びこの部材の周縁を支持してケース胴部２１ａに装着された縁部材２７を有した外装カバー２５とから時計外装組立１２を形成する。外装組立１２に、ムーブメント本体１４及びこの本体に挿脱可能に取付けられて竜頭２９に接続された巻真１５を有した時計ムーブメント１３と文字板１６とを内蔵すると共に、本体１４に対する巻真１５の挿脱を可能とする巻真着脱機構３１を設ける。巻真着脱機構３１は、巻真１５の溝（係合部）１５ｅに係脱されるストッパ部３４aを有した係合体３２、及び係合体３２を従動させてストッパ部３４aを溝１５ｅに係脱させる係脱操作体３５を備える。係脱操作体３５をケース底壁２１ｂに外装ケース２１の外側から操作可能に設ける。【選択図】      図２
2005265755.tif 000002
【特許請求の範囲】
【請求項１】
ケース底壁と外部操作体が設けられるケース胴部とが一体に作られたワンピース構造の外装ケースと、透明部材及びこの透明部材の周縁を支持して前記ケース胴部に装着された縁部材を有した外装カバーとから時計外装組立を形成し、
ムーブメント本体及びこの本体に挿脱可能に取付けられて前記外部操作体に接続されたムーブメント連動軸を有した時計ムーブメントと文字板とを前記時計外装組立に内蔵し、前記ムーブメント本体に対する前記ムーブメント連動軸の挿脱を可能とする連動軸着脱機構を前記時計外装組立に設け、
前記連動軸着脱機構が、前記ムーブメント連動軸に設けた係合部に係脱されるストッパ部を有した係合体、及びこの係合体を従動させて前記ストッパ部を前記係合部に係脱させる係脱操作体を備え、その係脱操作体を前記ケース底壁に前記外装ケースの外側から操作可能に設けている携帯時計。
【請求項２】
ケース底壁と竜頭が設けられるケース胴部とが一体に作られたワンピース構造の外装ケースと、透明部材及びこの透明部材の周縁を支持して前記ケース胴部に装着された縁部材を有した外装カバーとから時計外装組立を形成し、
ムーブメント本体及びこの本体に挿脱可能に取付けられて前記竜頭に接続された巻真を有した時計ムーブメントと文字板とを前記時計外装組立に内蔵し、前記ムーブメント本体に対する前記巻真の挿脱を可能とする巻真着脱機構を前記時計外装組立に設け、
前記巻真着脱機構が、前記巻真に設けた係合部に係脱されるストッパ部を有した係合体、及びこの係合体を従動させて前記ストッパ部を前記係合部に係脱させる係脱操作体を備え、その係脱操作体を前記ケース底壁に前記外装ケースの外側から操作可能に設けている携帯時計。
【請求項３】
前記係脱操作体が、
前記ケース底壁に開けた角孔を貫通する角筒部を有して前記ケース底壁の厚み方向に移動可能に設けられ、この移動により前記係脱操作体を従動させる進退部材と、
この進退部材に螺合して前記ケース底壁にその外部から回転操作可能に設けられた操作部材と、
を備えている請求項１又は２に記載の携帯時計。
【発明の詳細な説明】
【技術分野】
【０００１】
本発明は、腕時計などの携帯時計に係り、特に時計ムーブメントの本体に挿脱可能な巻真などのムーブメント連動軸を取外すための連動軸着脱機構を備えた携帯時計に関する。
【背景技術】
【０００２】
腕時計の時計外装組立は、取外し可能な裏蓋を備え、この裏蓋を外した状態で時計ムーブメントが組込まれる裏蓋付きのタイプと、ケース底壁とケース胴部とが一体に作られたワンピース構造の外装ケースを備え、この外装ケースと組合わされて時計外装組立を形成する外装カバーがケース胴部に装着される前に、外装ケースの表側から時計ムーブメントが組込まれる裏蓋なしのタイプとに大別される。
【０００３】
裏蓋付きのタイプの腕時計では、裏蓋の外径が胴の内径よりも大きいことにより、時計外装組立の周部裏面側をテーパ状として、時計外装組立の周部を薄く見せるデザインとすることには制約がある。この反面、時計ムーブメントの本体に挿脱可能な巻真を取外す場合には、裏蓋を開けて巻真着脱機構を操作できるので、時計外装組立に対する文字板の大きさを自由に設定できる度合いが高い点では好ましい。
【０００４】
これに対して、裏蓋なしのタイプの腕時計では、裏蓋がないことから、時計外装組立の周部裏面側をテーパ状として、時計外装組立の周部を薄く見せるデザインとする場合に有利である。
【０００５】
この種の裏蓋なしのタイプの腕時計でも、分解をするための巻真着脱機構を備えている。この巻真着脱機構は、ワンピース構造の外装ケースのケース胴部に装着された外装カバーに設けられている（例えば、特許文献１参照。）。
【０００６】
すなわち、時計ムーブメントの地板におしどり軸におしどりが回転可能に支持され、このおしどりにおしどりレバーの一端部が重ねて配置されている。おしどりレバーの他端部は、時計ムーブメントを覆った文字板の周縁と、外装カバーが有した縁部材の文字板周縁に対向した環状面との間に形成された環状の隙間に配置されている。このおしどりレバーの他端部は、外装カバーで通常は覆われているが、この外装カバーを外すことにより操作可能に露出される。
【０００７】
そして、露出させたおしどりレバーの他端部をピンセットなどで押下げて、おしどりレバーを傾けるに伴っておしどりを動かすことができる。この時のおしどりの動きによって、そのストッパ部が巻真の係合部から外れて、巻真の保持が解除される。したがって、この状態で竜頭を介して巻き真を引き抜くことができる。
【特許文献１】特許第３２１３８９２号公報（段落０００２−０００５、図１−図６）
【発明の開示】
【発明が解決しようとする課題】
【０００８】
特許文献１のように巻真着脱機構を時計外装組立の外装カバーに設けた構成では、ピンセットなどで押下げ操作されるおしどりレバーの他端部が文字板の縁より突出している必要がある。このため、時計外装組立の外形を大きくしない限り、おしどりレバーによって文字板の大きさが制約を受ける。このため、文字板の大きさを異ならせた様々な態様の腕時計を、商品として展開するには難があり、その改善が求められている。
【０００９】
本発明の目的は、時計外装組立の周部のデザインの自由度を得るとともに、文字板の大きさの自由度が高い携帯時計を提供することにある。
【課題を解決するための手段】
【００１０】
前記課題を解決するために、本発明は、ケース底壁と外部操作体が設けられるケース胴部とが一体に作られたワンピース構造の外装ケースと、透明部材及びこの透明部材の周縁を支持して前記ケース胴部に装着された縁部材を有した外装カバーとから時計外装組立を形成し、ムーブメント本体及びこの本体に挿脱可能に取付けられて前記外部操作体に接続されたムーブメント連動軸を有した時計ムーブメントと文字板とを前記時計外装組立に内蔵し、前記ムーブメント本体に対する前記ムーブメント連動軸の挿脱を可能とする連動軸着脱機構を前記時計外装組立に設け、前記連動軸着脱機構が、前記ムーブメント連動軸に設けた係合部に係脱されるストッパ部を有した係合体、及びこの係合体を従動させて前記ストッパ部を前記係合部に係脱させる係脱操作体を備え、その係脱操作体を前記ケース底壁に前記外装ケースの外側から操作可能に設けている。
【００１１】
この発明で、外部操作体とは、例えば竜頭で代表されるものであって、時刻合わせや日付合わせなどのために時計ムーブメントを時計外装部材の外部から操作する部材を指している。この発明で、ムーブメント連動軸とは、例えば巻真で代表されるものであって、外部操作体の操作を時計ムーブメントのムーブメント本体に時刻合わせなどのために伝える部材を指している。この発明で、連動軸着脱機構とは、例えば巻真等のムーブメント連動軸の軸方向移動を禁止する保持状態と、この保持を解除する解除状態とを切換えることができ、その切換えに伴ってムーブメント本体に対してムーブメント連動軸を挿脱させることを可能とする機構を指している。
【００１２】
前記課題を解決するために、本発明は、ケース底壁と竜頭が設けられるケース胴部とが一体に作られたワンピース構造の外装ケースと、透明部材及びこの透明部材の周縁を支持して前記ケース胴部に装着された縁部材を有した外装カバーとから時計外装組立を形成し、ムーブメント本体及びこの本体に挿脱可能に取付けられて前記竜頭に接続された巻真を有した時計ムーブメントと文字板とを前記時計外装組立に内蔵し、前記ムーブメント本体に対する前記巻真の挿脱を可能とする巻真着脱機構を前記時計外装組立に設け、前記巻真着脱機構が、前記巻真に設けた係合部に係脱されるストッパ部を有した係合体、及びこの係合体を従動させて前記ストッパ部を前記係合部に係脱させる係脱操作体を備え、その係脱操作体を前記ケース底壁に前記外装ケースの外側から操作可能に設けている。
【００１３】
これらの発明は、時計外装組立の外装ケースがワンピース構造であるので、この外装ケースの周部裏側にテーパ面を設けることに大きな制約がなく、時計外装組立の周部を薄く形成したデザインとするのに適している。そして、巻真着脱機構などの連動軸着脱機構を、外装カバー側ではなくワンピース構造の外装ケース側に設けるとともに、この着脱機構の係脱操作を外装ケースが有したケース底壁に外部から操作可能に設けている。これにより、連動軸着脱機構が文字板の大きさに制約を与えることがなくなり、文字板の大きさの自由度を高めることができる。
【００１４】
又、本発明の好ましい形態では、前記係脱操作体が、前記ケース底壁に開けた角孔を貫通する角筒部を有して前記ケース底壁の厚み方向に移動可能に設けられ、この移動により前記係脱操作体を従動させる進退部材と、この進退部材に螺合有して前記ケース底壁にその外部から回転操作可能に設けられた操作部材と、を備えている。なお、この発明の形態において、進退部材と操作部材とは、進退部材の内周に設けた雌ねじと操作部材の外周に設けた雄ねじとを螺合させてもよく、この逆に、進退部材の外周に設けた雄ねじと操作部材の内周に設けた雌ねじとを螺合させてもよい。
【００１５】
この発明の形態では、時計外装組立の外側から操作部材を回すことにより、回転を角孔で拘束されている進退部材をケース底壁の厚み方向に移動させて、この進退部材で係脱操作体を押し動かすことができる。こうした進退部材に対する係脱操作体の従動により、係脱操作体のストッパ部を巻真等のムーブメント連動軸の係合部から外して、連動軸着脱機構によるムーブメント連動軸の保持を解除できる。これにより、竜頭等の外部操作体を介してムーブメント本体からムーブメント連動軸を外すことができる。
【発明の効果】
【００１６】
本発明によれば、ワンピース構造の外装ケースを有した時計外装組立の特徴である、時計外装組立の周部のデザインの自由度を生かしつつ、巻真等のムーブメント連動軸の挿脱を可能とする連動軸着脱機構によって文字板の大きさが制約を受けないようにしたので、文字板の大きさの自由度が高い携帯時計を提供できる。
【発明を実施するための最良の形態】
【００１７】
図１〜図７を参照して本発明の一実施形態を説明する。
【００１８】
図１中符号１１は携帯時計としての腕時計を示している。この腕時計１１は、時計外装組立１２を備え、この時計外装組立１２に時計ムーブメント１３（図２参照）等を内蔵している。
【００１９】
時計ムーブメント１３は、ムーブメント本体１４と、この本体１４に挿脱可能に取付けられたムーブメント連動軸例えば巻真１５とを有している。ムーブメント本体１４は、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。ムーブメント本体１４にはその表面を覆って文字板１６が装着されている。
【００２０】
図２〜図７に示すように巻真１５は、ムーブメント本体１４の外に位置されたねじ軸部１５ａと、このねじ軸部１５ａに連続した大径軸部１５ｂと、この大径軸部１５ｂに連続した小径軸部１５ｃと、大径軸部１５ｂに接近して小径軸部１５ｃに形成された鍔状の張出し部１５ｄとを有している。これにより、巻真１５の大径軸部１５ｂと張出し部１５ｄとの間には係合部として機能する溝１５ｅが形成されている。
【００２１】
図２に示すように時計外装組立１２は、外装ケース２１とこれに装着された外装カバー２５とを備えている。
【００２２】
外装ケース２１は、ケース胴部２１ａとケース底壁２１ｂとが一体に作られて凹状のワンピース構造をなしている。この外装ケース２１の正面開口を通して収容される。この外装ケース２１は、硬質合成樹脂を一体成形することで得てもよく、あるいはステンレスやチタン等の金属を削って得てもよい。
【００２３】
ケース胴部２１ａの裏面には周方向に連続するテーパ面２１ｃが形成されている。このテーパ面２１ｃによって時計外装組立１２の周部を薄く見せることができる。ケース胴部２１ａの一部にはパイプ取付け孔１７が貫通して設けられている。
【００２４】
ケース底壁２１ｂのケース胴部２１ａに寄った位置には収容孔１８と、これに連続する角孔１９とが開けられている。図３及び図４に示しように収容孔１８及び角孔１９はケース底壁２１ｂを厚み方向に貫通している。収容孔１８は、円形の孔であって、段１８ａを有している。角孔１９は、収容孔１８より小さく、多角形状例えば四角又は六角に形成されている。なお、外装ケース２１の内部に電池が収容される場合には、この電池の交換用の小さな蓋をケース底壁２１ｂに着脱可能に設けてもよい。
【００２５】
外装カバー２５は、透明ガラス及び透明合成樹脂等からなる透明部材２６と、この透明部材２６の周縁部を支持した環状の縁部材２７とを有している。縁部材２７をケース胴部２１ａに装着することにより、透明部材２６が文字板１６を覆って時計外装組立１２が組立てられる。
【００２６】
図２に示すようにケース胴部２１ａにはパイプ取付け孔１７に胴外側から挿入された巻真パイプ２８が取付けられている。金属製例えばステンレス鋼製の巻真パイプ２８は胴外突出部２８ａを有している。この巻真パイプ２８には、時計ムーブメント１３を外部から操作する外部操作体として機能する金属製の竜頭２９が取付けられている。竜頭２９は、竜頭主部２９ａと、この中央部から裏側に一体に突出する竜頭軸部２９ｂとを有している。
【００２７】
竜頭主部２９ａは巻真パイプ２８の胴外突出部２８ａを覆っており、竜頭軸部２９ｂは巻真パイプ２８内に挿入されている。竜頭軸部２９ｂの外周面には防水リング３０が装着されていて、その外周面が巻真パイプ２８の内面に密接して、これら巻真パイプ２８と竜頭軸部２９ｂとの間の防塵・防水が図られている。
【００２８】
前記巻真１５のねじ軸部１５ａは竜頭軸部２９ｂにねじ込んで接続されている。このため、竜頭２９を介して巻真１５は巻真パイプ２８を通ってムーブメント本体１４に挿脱可能である。この巻真１５の挿脱は、時計ムーブメント１３を外装ケース２１に組込む際及び外装ケース２１から時計ムーブメント１３を外す際になされる。又、竜頭２９を介して巻真１５は複数の軸方向位置、例えば図５に示す第１位置と、図６及び図７に示す第２位置とを選択できる。第１位置は竜頭操作をしない通常の位置であり、第２位置は時刻合わせや日付合わせ等のために竜頭２９の回転操作が可能な位置である。
【００２９】
時計外装組立１２には、ムーブメント連動軸である巻真１５をムーブメント本体１４に対して挿脱することを可能とする連動軸着脱機構例えば巻真着脱機構３１が設けられている。
【００３０】
図３及び図４に示すように巻真着脱機構３１は、巻真１５に係脱される係合体３２と、ケース底壁２１ｂの外側から操作されて係合体３２を従動させる係脱操作体３５とを備えている。
【００３１】
係合体３２は、ムーブメント本体１４の周部に配置されていて、可動軸３３と、係合部材３４とからなる。可動軸３３は、ムーブメント本体１４の厚み方向に沿って移動可能に設けられていて、おしどりピンとも称される。係合部材３４はおしどりとも称される。この係合部材３４は、可動軸３３に回転可能に取付けられているが、可動軸３３の軸方向には移動できない。この係合部材３４には、図５〜図７に示すように可動軸３３から隔たった位置に巻真１５の溝１５ｅに係脱するストッパ部３４ａが形成されている。
【００３２】
係脱操作体３５は、係合体３２を従動させる進退部材３６と、ケース底壁２１ｂにその外部から回転操作可能に設けられた操作部材３７とを備えている。
【００３３】
進退部材３６は、ケース底壁２１ｂの角孔１９を貫通する角筒部を有してケース底壁２１ｂの厚み方向に移動可能に設けられている。この進退部材３６の角筒部の内周には雌ねじ３６ａが形成されている。進退部材３６の角筒部に連なる先端部は角孔１９より広くなっているとともに、この部分から次第に先細になっている。この先細端は、可動軸３３の端面３３ａ（係合部材３４が支持された端部とは反対側の端面）に至近距離で対向している。
【００３４】
操作部材３７には、雌ねじ３６ａに螺合する雄ねじ３７ａを有したねじ部材を好適に使用できる。操作部材３７は、その全体を収容孔１８に収容されており、そのねじ頭３７ｂが収容孔１８の段１８ａに当たって、角孔１９方向への軸方向移動を禁じられている。ねじ頭３７ｂは、ケース底壁２１ｂの外部から回転させることができるようにケース底壁２１ｂの外部に臨んでいる。又、操作部材３７には収容孔１８の小径孔部内面に密接する環状の防水パッキン３８が取付けられている。
【００３５】
以上のように腕時計１１は、ケース胴部２１ａとケース底壁２１ｂとが一体成形されたワンピース構造の外装ケース２１と、ムーブメント本体１４及びこの本体１４に挿脱可能に接続されたムーブメント連動軸としての巻真１５を有して外装ケース２１に収容された時計ムーブメント１３と、ケース胴部２１ａに配置されて巻真１５に接続されたムーブメント操作用の外部操作体としての竜頭２９と、時計ムーブメント１３を覆って外装ケース２１に内蔵された文字板１６と、この文字板１６を覆う透明部材２６及びこの透明部材２６の周縁を支持してケース胴部２１ａに装着された縁部材２７を有した外装カバー２５と、巻真１５に設けた係合部としての溝１５ｅに係脱されるストッパ部３４ａが形成された係合体３２及びストッパ部３４ａを溝１５ｅに係脱させる係脱操作体３５を有し、この係脱操作体３５が、ケース底壁２１ｂに外装ケース２１の外側から操作可能に設けられている連動軸着脱機構としての巻真着脱機構３１と、を具備している。
【００３６】
この腕時計１１が携帯される通常状態での巻真着脱機構３１と巻真１５との相互関係は図３及び図５に示されている。この状態では、係合体３２から係脱操作体３５が離れており、係合体３２はその自重で下がった位置にあるので、そのストッパ部３４ａが巻真１５の溝１５ｅに嵌り込んで引っ掛かっている。言い換えれば、巻真１５はその軸方向に動かないように保持されている。なお、この状態で、係合部材３４は、これとムーブメント本体１４との間に設けられている図示しないクリック手段により、不用意に回転されないように位置規制されている。又、この状態では外装ケース２１の内部において係脱操作体３５の先端部が角孔１９の孔縁に引っ掛かっているので、係脱操作体３５が収容孔１８から脱落することはない。
【００３７】
時刻合わせなどの竜頭操作を行う場合には、まず、前記クリック手段に抗して竜頭２９を介して巻真１５を一段を引き出して、図６（Ａ）（Ｂ）に示される状態とする。この時、巻真１５の軸方向変位に応じて係合部材３４は追従し可動軸３３を中心に回動するが、依然としてストッパ部３４ａは巻真１５の溝１５ｅに嵌り込んで引っ掛かったままである。次に、この状態で竜頭２９を回転操作する。これにより、竜頭２９の回転を、巻真１５を介してムーブメント本体１４に与えて、時刻合わせなどをすることができる。
【００３８】
又、ムーブメント本体１４から巻真１５を引き外す場合には、係脱操作体３５の操作部材３７を、外装ケース２１の外側からねじ込み方向に回転させる。これに伴って、角孔１９で回転を止められている進退部材３６が、その雌ねじ３６ａと操作部材３７の雄ねじ３７ａとの噛み合いの変化に基づいて、外装ケース２１の内部への突出量を増やすようにケース底壁２１ｂの厚み方向に沿って移動される。これにより、進退部材３６が可動軸３３を軸方向に沿って押し動かすので、係合体３２全体が移動されて、図４及び図７（Ａ）（Ｂ）に示すようにストッパ部３４ａが巻真１５の溝１５ｅから外れる。すなわち、巻真１５の軸方向に対する拘束が解除される。したがって、この状態で竜頭２９を引っ張ることにより、巻真１５をムーブメント本体１４から離脱させ、巻真パイプ２８に通して引き出すことができる。なお、こうした巻真１５の取外しは、外装カバー２５を外す前のコンプリート状態であっても、外装カバー２５を外した状態でも実施できる。
【００３９】
以上のように巻真着脱機構３１の係脱操作体３５を、外装カバー２５側ではなくワンピース構造の外装ケース２１が有したケース底壁２１ｂに外部から操作可能に設けたので、巻真着脱機構３１と文字板１６とを互いに無関係に設けることができる。すなわち、巻真着脱機構３１の操作部材３７等が文字板１６の大きさに制約を与えることがなくなる。これにより、文字板１６の大きさの自由度が高められるに伴い、文字板１６の大きさを異ならせた様々な態様の腕時計１１を提供し易くできる。
【００４０】
しかも、外装ケース２１がワンピース構造であるので、この外装ケース２１の周部裏側にテーパ面２１ｃを設けることに大きな制約がない。これにより、時計外装組立１２の周部を薄く形成したデザインとした腕時計１１を構成できる。
【００４１】
したがって、或る限られた大きさの時計外装組立１２において、文字板１６が大きめで、かつ、時計外装組立１２の周部が薄く、それ故に、見かけ上薄型に見させる腕時計１１とすることができる。
【００４２】
又、進退部材３６内周に設けた雌ねじ３６ａと操作部材３７と、操作部材３７の外周に設けた雄ねじ３７ａとを螺合させたので、進退部材３６に設けたねじ部が、この進退部材３６の軸方向に伴って角孔１９にかかることがない。したがって、操作部材３７の操作に連動して進退部材３６を円滑に移動させることができる点で好ましい。
【００４３】
本発明は懐中時計などの携帯時計にも適用できる。
【図面の簡単な説明】
【００４４】
【図１】本発明の一実施形態に係る腕時計を示す平面図。
【図２】図１中Ｆ２−Ｆ２線に沿って示す断面図。
【図３】図１の時計の巻真着脱機構を巻真が保持された状態で示す断面図。
【図４】図１の時計の巻真着脱機構を巻真の保持が解除された状態で示す断面図。
【図５】図１の時計の文字板と巻真着脱機構のおしどりと巻真との平面的な位置関係を、巻真が保持された状態で示す図。
【図６】（Ａ）は図１の時計の文字板と巻真着脱機構のおしどりと巻真との平面的な位置関係を、竜頭が操作される状態で示す図。（Ｂ）は図６（Ａ）中Ｆ６−Ｆ６線に沿って示す断面図。
【図７】（Ａ）は図１の時計の文字板と巻真着脱機構のおしどりと巻真との平面的な位置関係を、巻真の保持が解除された状態で示す図。（Ｂ）は図７（Ａ）中Ｆ７−Ｆ７線に沿って示す断面図。
【符号の説明】
【００４５】
１１…腕時計（携帯時計）
１２…時計外装組立
１３…時計ムーブメント
１４…ムーブメント本体
１５…巻真（ムーブメント連動軸）
１５ｅ…溝（係合部）
１６…文字板
１８…収容孔
１８ａ…収容孔の段
１９…角孔
２１…外装ケース
２１ａ…ケース胴部
２１ｂ…ケース底壁
２１ｃ…テーパ面
２５…外装カバー
２６…透明部材
２７…縁部材
２８…巻真パイプ
２９…竜頭（外部操作体）
３１…巻真着脱機構（連動軸着脱機構）
３２…係合体
３３…係合体の可動軸
３４…係合体の係合部材
３４ａ…ストッパ部
３５…係脱操作体
３６…係脱操作体の進退部材
３６ａ…進退部材の雌ねじ
３７…係脱操作体の操作部材
３７ａ…操作部材の雄ねじ
【図１】
2005265755.tif 000003
【図２】
2005265755.tif 000004
【図３】
2005265755.tif 000005
【図４】
2005265755.tif 000006
【図５】
2005265755.tif 000007
【図６】
2005265755.tif 000008
【図７】
2005265755.tif 000009